(57)【要約】  本発明は、移動通信網と連動してテレマティックスと移動端末間の呼転送時にアドレス帳データを連動するサービス提供方法に関する。本発明によれば、移動通信網と連動するテレマティックスと移動端末間の呼転送サービス提供システムにおけるアドレス帳データ連動サービスの提供方法であって、（ａ）車輌に搭載されるテレマティックス（Ｔｅｌｅｍａｔｉｃｓ）装置から呼転送サービス要請情報を受信し、前記テレマティックス装置の加入者を判別する段階と、（ｂ）前記加入者のサービス登録情報を検索して前記加入者のテレマティックス装置及び移動端末の情報を確認する段階と、（ｃ）前記加入者の移動端末のアドレス帳データを前記テレマティックス装置に伝送する段階と、を含むテレマティックスと移動端末間のアドレス帳データ連動サービスの提供方法が開示される。
2010527553.tif 000002
【特許請求の範囲】
【請求項１】
移動通信網と連動してテレマティックスと移動端末間の呼転送サービス及びアドレス帳連動サービスを提供するアドレス帳データ連動サービス提供システムにおいてアドレス帳データを連動するサービスを提供する方法であって、
（ａ）前記システムが車輌に搭載されるテレマティックス（Ｔｅｌｅｍａｔｉｃｓ）装置から呼転送サービス要請情報を受信し、前記テレマティックス装置の加入者を判別する段階と、
（ｂ）前記システムで前記加入者のサービス登録情報を検索し、前記加入者のテレマティックス装置及び移動端末の情報を確認する段階と、
（ｃ）前記システムが前記加入者の移動端末のアドレス帳データを前記テレマティックス装置に伝送する段階と、を含むテレマティックスと移動端末間のアドレス帳データ連動サービスの提供方法。
【請求項２】
前記段階（ｃ）の後、前記移動端末に設定された前記移動通信網とのサービス連結を前記テレマティックス装置に切り替えるように前記移動通信網に要請する段階をさらに含むことを特徴とする請求項１に記載のテレマティックスと移動端末間のアドレス帳データ連動サービスの提供方法。
【請求項３】
前記段階（ｃ）は、前記テレマティックス装置の加入者を判別した結果、以前に前記テレマティックス装置を使用した加入者と同一加入者であると判別される場合、前記加入者の移動端末アドレス帳データを伝送しないことを特徴とする請求項１または請求項２に記載のテレマティックスと移動端末間のアドレス帳データ連動サービスの提供方法。
【請求項４】
前記段階（ｃ）は、前記テレマティックス装置からアドレス帳データ伝送要請を受信した後、アドレス帳連動サーバーに保存中の前記加入者の移動端末アドレス帳データを前記テレマティックス装置に伝送することを特徴とする請求項１または請求項２に記載のテレマティックスと移動端末間のアドレス帳データ連動サービスの提供方法。
【請求項５】
前記段階（ａ）は、
車輌に搭載されるテレマティックス装置から加入者識別情報と加入者認証情報を含む呼転送サービス要請情報を受信する段階と、
前記加入者識別情報で加入者を区別し前記加入者認証情報で加入者を認証する過程を通じて、前記テレマティックス装置の加入者を判別する段階と、を含むことを特徴とする請求項１または請求項２に記載のテレマティックスと移動端末間のアドレス帳データ連動サービスの提供方法。
【請求項６】
前記段階（ａ）の前に、前記加入者の移動端末に保存されたアドレス帳データを周期的に受信してアドレス帳連動サーバーに更新して保存する段階をさらに含むことを特徴とする請求項１または請求項２に記載のテレマティックスと移動端末間のアドレス帳データ連動サービスの提供方法。
【請求項７】
移動通信網と連動するテレマティックスと移動端末間の呼転送サービスにおいてアドレス帳データ連動サービス提供システムであって、
車輌に搭載されるテレマティックス装置の加入者情報、前記加入者のテレマティックス装置及び移動端末に関する端末情報を含むサービス登録情報を保存する加入者データベースと、
多数加入者の移動端末に保存されたアドレス帳データ情報が収集され、各移動端末別に区分されて保存されたアドレス帳データベースと、
前記加入者データベースと連動して前記テレマティックス装置から受信した呼転送サービス要請情報を分析し、前記テレマティックス装置加入者を判別し、前記加入者のテレマティックス装置及び移動端末の情報を確認し、確認された前記移動端末と前記移動通信網間に設定されたサービス連結を前記テレマティックス装置に切り替えるように前記移動通信網に要請する呼転送サービスモジュールと、
前記呼転送サービスモジュールで確認された前記移動端末のアドレス帳データを前記アドレス帳データベースから抽出して前記テレマティックス装置に伝送するアドレス帳連動モジュールと、を含むテレマティックスと移動端末間のアドレス帳データ連動サービス提供システム。
【請求項８】
前記アドレス帳連動モジュールは、加入者の移動端末に保存されたアドレス帳データを周期的に受信して前記アドレス帳データベースに更新して保存する更新部をさらに含むことを特徴とする請求項７に記載のテレマティックスと移動端末間のアドレス帳データ連動サービス提供システム。
【請求項９】
前記アドレス帳連動モジュールは、前記呼転送サービスモジュールで確認された前記移動端末の加入者が以前に前記テレマティックス装置を使用した加入者と同一であるか否かを判断し、同一加入者である場合は、アドレス帳データを伝送しないようにする同一加入者チェック部をさらに含むことを特徴とする請求項７または請求項８に記載のテレマティックスと移動端末間のアドレス帳データ連動サービス提供システム。
【請求項１０】
前記アドレス帳連動モジュールは、前記テレマティックス装置からアドレス帳データ伝送要請を受信した後、アドレス帳連動処理を行う連動要請受信部をさらに含むことを特徴とする請求項７または請求項８に記載のテレマティックスと移動端末間のアドレス帳データ連動サービス提供システム。
【請求項１１】
前記呼転送サービスモジュールは、
車輌に搭載されるテレマティックス装置から加入者識別情報及び加入者認証情報を含む呼転送サービス要請情報を受信する呼転送要請受信部と、
受信した前記呼転送サービス要請情報の前記加入者識別情報で加入者を区別し前記加入者認証情報で加入者を認証して、前記テレマティックス装置の加入者を判別する加入者判別部と、
前記加入者判別部で判別された加入者のサービス登録情報を前記加入者データベースから検索し、前記加入者のテレマティックス装置及び移動端末の情報を確認する情報確認部と、
前記情報確認部で確認された移動端末と前記移動通信網間に設定されたサービス連結を前記テレマティックス装置に切り替えるように前記移動通信網に要請する切替処理部と、を含むことを特徴とする請求項７または請求項８に記載のテレマティックスと移動端末間のアドレス帳データ連動サービス提供システム。
【請求項１２】
移動通信網と所定のデータ送受信が可能なテレマティックス装置であって、
前記テレマティックス装置の加入者が加入した移動端末と前記移動通信網間に設定されたサービス連結を前記テレマティックス装置に切り替えるトリガーの設定情報を保存するトリガーフィールド、及び最近前記テレマティックス装置を使用した加入者のアドレス帳データが保存されるアドレス帳フィールドを備える保存部と、
前記設定情報に従ってトリガーを実行し、前記移動端末のサービス連結切替を要請するサービス要請情報を前記移動通信網と連動する呼転送サービス提供システムに伝送し、前記呼転送サービス提供システムの応答に応じて前記移動端末のサービス連結切替を行う呼転送制御部と、
前記トリガーの実行によって加入者識別情報と認証情報を提供し、それによって加入者を確認した後、アドレス帳連動サーバーから提供される該当加入者のアドレス帳データを前記保存部のアドレス帳フィールドに更新して保存するアドレス帳制御部と、を含むテレマティックス装置。
【請求項１３】
前記アドレス帳制御部は、
前記テレマティックス装置のユーザの操作によって最新のアドレス帳の提供を受けるため、前記アドレス帳連動サーバーにアドレス帳更新を要請するアドレス帳更新要請情報を伝送するアドレス帳要請部をさらに含むことを特徴とする請求項１２に記載のテレマティックス装置。
【請求項１４】
前記トリガーの設定情報は、
車輌の始動電源活性化のとき、前記トリガーを活性化する情報と、
ユーザの要求動作によって前記トリガーを活性化する情報と、
前記移動端末が車輌内にある場合、前記トリガーを活性化する情報と、を含むことを特徴とする請求項１２または請求項１３に記載のテレマティックス装置。
【請求項１５】
移動通信網と連動してテレマティックスと移動端末間の呼転送サービス及びアドレス帳連動サービスを提供するアドレス帳データ連動サービス提供システムにおいてアドレス帳データを連動するサービスを提供する方法であって、
（ａ）前記システムが、車輌に搭載されるテレマティックス装置から呼転送サービス要請情報を受信し、前記テレマティックス装置の加入者を判別する段階と、
（ｂ）前記システムで、前記加入者のサービス登録情報を検索して前記加入者のテレマティックス装置及び移動端末の情報を確認する段階と、
（ｃ）前記システムが、前記移動端末に設定された前記移動通信網とのサービス連結を前記テレマティックス装置に切り替えるように前記移動通信網に要請する段階と、
（ｄ）前記システムは、呼転送された前記テレマティックス装置にアドレス帳連動サーバー接続権限を与え、保存中の前記加入者の移動端末のアドレス帳データをアクセスできる権限を与える段階と、を含むテレマティックスと移動端末間のアドレス帳データ連動サービスの提供方法。
【発明の詳細な説明】
【技術分野】
【０００１】
本発明は、テレマティックスと移動端末間の呼転送サービスに関し、より詳しくは、テレマティックスと移動端末間の呼転送時にアドレス帳データを連動するサービス提供方法及びシステムに関する。
【背景技術】
【０００２】
テレマティックス（Ｔｅｌｅｍａｔｉｃｓ）とは、通信（ｔｅｌｅｃｏｍｍｕｎｉｃａｔｉｏｎ）と情報科学（Ｉｎｆｏｒｍａｔｉｃｓ）との合成語であって、自動車と移動通信との結合を意味する。また、テレマティックスは移動通信とインターネット技術を基盤に自動車に適時な位置情報に基づいた安全サービス、オフィス環境提供を通じた生産性向上サービス、及び金融、予約、商品購入などのその他個人的なサービスなどを提供することを言う。このようなテレマティックスの代表的なサービスとしては、ナビゲーション機能、交通情報の提供、緊急救助、及び各種エンターテイメントに関連した分野が挙げられる。
【０００３】
また、テレマティックスを具現するテレマティックス装置には内部ＣＤＭＡモジュールが内蔵され、テレマティックス装置を用いてモバイル通信を行えるだけでなく、ユーザが持っている外部の携帯電話を連結してハンズフリーで使用することができる。さらに、携帯電話の機能も持っており、ＣＤＭＡ、インターネットブラウザー、音声メモ、アドレス帳のような個人情報が保存でき、モバイルオフィスの具現や電子メールサービスの支援を行う。
【０００４】
近年は、テレマティックス装置と移動端末間に互換性を考慮し、テレマティックスと移動端末それぞれのサービスを１つに統合する技術が発展している。このような技術のうちには、テレマティックス装置と移動端末間の呼転送技術を用いたサービスがある。このサービスは移動端末とテレマティックス装置とで相互呼を転送し、ユーザの所望の装置で移動通信サービスを利用できるようにするサービスである。すなわち、移動端末を持って通信サービスを利用していた加入者が車輌に乗れば、車輌に搭載されたテレマティックス装置に呼を転送してテレマティックス装置で通信サービスを利用できるようにするサービスである。
【０００５】
しかし、このような方法を用いる場合、移動端末で保存して使用していたアドレス帳や電話帳などを車輌に搭載されたテレマティックス装置では使用できないという問題がある。すなわち、移動端末からテレマティックス装置に呼転送されれば、テレマティックス装置で通信サービスなどは利用できるものの、移動端末に保存されていたアドレス帳などは使えなくなる。よって、テレマティックス装置に呼転送して移動通信サービスを利用する場合、呼転送の前に移動端末で使用したアドレス帳などの情報は利用できないので、別途に移動端末のアドレス帳を調べるか又は直接電話番号や住所などをテレマティックス装置に入力しなければならず煩雑であった。
【発明の概要】
【発明が解決しようとする課題】
【０００６】
本発明は、上記問題点を解決するために創案されたものであり、移動端末からテレマティックス装置に呼転送されたときにも、移動端末に保存されたアドレス帳情報をテレマティックス装置で利用できるようにするアドレス帳連動サービスを提供することをその目的とする。
【０００７】
本発明の他の目的及び長所は後述され、本発明の実施例を通じて分かるであろう。また、本発明の目的及び長所は添付する特許請求の範囲に示された手段及び組合せによって実現することができる。
【課題を解決するための手段】
【０００８】
上記の目的を達成するため、本発明によるテレマティックスと移動端末間のアドレス帳データ連動サービスの提供方法は、移動通信網と連動するテレマティックスと移動端末間の呼転送サービス提供システムにおけるアドレス帳データ連動サービスの提供方法であって、（ａ）車輌に搭載されるテレマティックス装置から呼転送サービス要請情報を受信し、前記テレマティックス装置の加入者を判別する段階と、（ｂ）前記加入者のサービス登録情報を検索し、前記加入者のテレマティックス装置及び移動端末の情報を確認する段階と、（ｃ）アドレス帳連動サーバーに保存中の前記加入者の移動端末のアドレス帳データを前記テレマティックス装置に伝送する段階と、を含む。
【０００９】
本発明の他の態様によれば、移動通信網と連動するテレマティックスと移動端末間の呼転送サービスにおけるアドレス帳データ連動サービス提供システムであって、車輌に搭載されるテレマティックス装置の加入者情報、前記加入者のテレマティックス装置及び移動端末に関する端末情報を含むサービス登録情報を保存する加入者データベースと、多数加入者の移動端末に保存されたアドレス帳データ情報が収集され、各移動端末別に区分されて保存されたアドレス帳データベースと、前記加入者データベースと連動して前記テレマティックス装置から受信した呼転送サービス要請情報を分析して前記テレマティックス装置加入者の判別及び前記加入者のテレマティックス装置及び移動端末の情報を確認し、確認された前記移動端末と前記移動通信網間に設定されたサービス連結を前記テレマティックス装置に切り替えるように前記移動通信網に要請する呼転送サービスモジュールと、前記呼転送サービスモジュールで確認された前記移動端末のアドレス帳データを前記アドレス帳データベースから抽出して前記テレマティックス装置に伝送するアドレス帳連動モジュールと、を含むテレマティックスと移動端末間のアドレス帳データ連動サービス提供システムが提供される。
【００１０】
本発明のさらに他の態様によれば、移動通信網と所定のデータ送受信が可能なテレマティックス装置であって、前記テレマティックス装置加入者が加入した移動端末と前記移動通信網間に設定されたサービス連結を前記テレマティックス装置に切り替えるトリガーの設定情報を保存するトリガーフィールド、及び最近前記テレマティックス装置を使用した加入者のアドレス帳データが保存されるアドレス帳フィールドを備えた保存部と、前記設定情報に従ってトリガーを実行して前記移動端末のサービス連結切替を要請するサービス要請情報を前記移動通信網と連動する呼転送サービス提供システムに伝送し、前記呼転送サービス提供システムの応答に応じて前記移動端末のサービス連結切替を行う呼転送制御部と、前記トリガーの実行によって加入者識別情報と認証情報を提供し、それによって加入者を確認した後、アドレス帳連動サーバーから提供される該当加入者のアドレス帳データを前記保存部のアドレス帳フィールドに更新保存するアドレス帳制御部と、を含むテレマティックス装置が提供される。
【００１１】
本発明のさらに他の態様によれば、移動通信網と連動するテレマティックスと移動端末間の呼転送サービス提供システムにおけるアドレス帳データ連動サービスの提供方法であって、（ａ）車輌に搭載されるテレマティックス装置から呼転送サービス要請情報を受信し、前記テレマティックス装置の加入者を判別する段階と、（ｂ）前記加入者のサービス登録情報を検索して前記加入者のテレマティックス装置及び移動端末の情報を確認する段階と、（ｃ）前記移動端末に設定された前記移動通信網とのサービス連結を前記テレマティックス装置に切り替えるように前記移動通信網に要請する段階と、（ｄ）呼転送された前記テレマティックス装置に前記アドレス帳連動サーバー接続権限を与え、保存中の前記加入者の移動端末のアドレス帳データをアクセスできる権限を与える段階と、を含むテレマティックスと移動端末間のアドレス帳データ連動サービスの提供方法が提供される。
【図面の簡単な説明】
【００１２】
本明細書に添付される次の図面は、本発明の望ましい実施例を例示するものであり、発明の詳細な説明とともに本発明の技術的な思想をさらに理解させる役割をするため、本発明は図面に記載された事項だけに限定されて解釈されてはならない。
【図１】本発明の一実施例によるテレマティックスと移動端末間のアドレス帳連動サービスが具現されるシステムの構成を示した図である。
【図２】本発明の一実施例によるテレマティックスと移動端末間のアドレス帳データ連動サービス提供システムの構成を示した図である。
【図３】本発明の一実施例によるテレマティックス装置の構成を示した図である。
【図４】本発明の一実施例によるテレマティックスと移動端末間のアドレス帳データ連動サービスの提供方法を示したフロー図である。
【図５】本発明の一実施例によるテレマティックスと移動端末間のアドレス帳データ連動サービス提供システムの各ノードで行われるフローを順に示した図である。
【図６】本発明の他の実施例によるテレマティックスと移動端末間のアドレス帳データ連動サービスの提供方法のフローを順に示した図である。
【発明を実施するための形態】
【００１３】
以下、添付された図面を参照して本発明の望ましい実施例を詳しく説明する。これに先立ち、本明細書及び請求範囲に使われた用語や単語は通常的や辞書的な意味に限定して解釈されてはならず、発明者自らは発明を最善の方法で説明するために用語の概念を適切に定義できるという原則に則して本発明の技術的な思想に応ずる意味及び概念で解釈されねばならない。したがって、本明細書に記載された実施例及び図面に示された構成は、本発明のもっとも望ましい一実施例に過ぎず、本発明の技術的な思想のすべてを代弁するものではないため、本出願の時点においてこれらに代替できる多様な均等物及び変形例があり得ることを理解せねばならない。
【００１４】
図１は、本発明の一実施例によるテレマティックスと移動端末間のアドレス帳連動サービスが具現されるシステムの構成を示した図である。
【００１５】
図１を参照すれば、アドレス帳連動サービスを提供するための構成はテレマティックス装置１００、移動端末２００、移動通信網３００、テレマティックスサービス提供システム４００、及びアドレス帳データ連動サービス提供システム５００を含む。
【００１６】
前記テレマティックス装置１００は、車輌に搭載されて移動通信網３００と接続され、前記移動通信網３００を通じてテレマティックス提供システム４００と連結されてテレマティックスサービスの提供を受ける装置である。このとき、テレマティックス装置１００は、移動通信網３００と連動するアドレス帳データ連動サービス提供システム５００と所定のデータ送受信が可能であって、それを通じて移動端末２００の移動通信サービス機能を移動端末２００と同じ加入者環境で提供する呼転送サービス、及びアドレス帳連動サービスの提供を受ける。ここで、呼転送サービスはテレマティックス装置１００と移動端末２００が共に存在する場合、移動端末２００の全ての移動通信サービス機能を前記テレマティックス装置１００を通じて提供できるようにするサービスである。また、前記アドレス帳連動サービスは移動端末２００からテレマティックス装置１００に呼転送するとき、前記移動端末２００に保存されていたアドレス帳及び電話帳データを呼転送された前記テレマティックス装置１００に伝送し、内部アドレス帳フィールドに更新して保存するサービスである。
【００１７】
前記移動端末２００は移動通信網３００を通じて相手と音声通話が可能であり、移動通信網３００とデータ通信が可能な端末機である。このような移動端末２００は、ＰＤＡ（Ｐｅｒｓｏｎａｌ Ｄｉｇｉｔａｌ Ａｓｓｉｓｔａｎｔ）、携帯電話、ＰＣＳ（Ｐｅｒｓｏｎａｌ Ｃｏｍｍｕｎｉｃａｔｉｏｎ Ｓｅｒｖｉｃｅ）電話、ＧＳＭ（登録商標）（Ｇｌｏｂａｌ Ｓｙｓｔｅｍ ｆｏｒ Ｍｏｂｉｌｅ）電話、ＷＣＤＭＡ（登録商標）（Ｗｉｄｅｂａｎｄ ＣＤＭＡ）電話、ＣＤＭＡ−２０００電話、ＭＢＭＳ（Ｍｕｌｔｉｍｅｄｉａ Ｂｒｏａｄｃａｓｔ ａｎｄ Ｍｕｌｔｉｃａｓｔ Ｓｅｒｖｉｃｅ）電話などを含む。
【００１８】
前記移動通信網３００は、前記テレマティックス装置１００及び前記移動端末２００と接続され、テレマティックスサービス及び移動通信サービスを提供するための移動通信ネットワークを構成する。より詳しくは、無線基地局３１０、移動通信網交換機３２０、ホーム位置レジスタ（ＨＬＲ）３４０、及び訪問者位置レジスタ（ＶＬＲ）３５０を含む。ここで、無線基地局３１０はテレマティックス装置１００及び移動端末２００の位置情報、登録者情報、通話要請信号、及びデータ要請信号を移動通信網交換機３２０に伝送し、移動通信網交換機３２０からの通話要請信号及びデータ信号を移動端末２００に伝送する。ＨＬＲ３４０及びＶＬＲ３５０は位置登録機能を行い、加入者情報を保存及び管理し、各種移動通信サービスを提供してそれによる課金処理を行う。
【００１９】
また、移動通信網交換機３２０は、テレマティックス装置１００からテレマティックスサービスの要請を受けた場合、テレマティックスサービス提供システム４００にゲートウェイ３３０を通じて連結されることで、テレマティックス装置１００がテレマティックスサービスの提供を受けることができるようにする。さらに、テレマティックスサービス提供システム４００から提供されたデータをテレマティックス装置１００に伝送する。また、移動端末２００に設定された移動通信サービス連結をアドレス帳データ連動サービス提供システム５００の制御によってテレマティックス装置１００に設定または解除する。
【００２０】
前記テレマティックスサービス提供システム４００は、テレマティックス装置１００に各種テレマティックスサービスを提供する。
【００２１】
前記アドレス帳データ連動サービス提供システム５００は移動通信網３００と連動し、前記移動通信網３００を通じて前記テレマティックス装置１００に呼転送サービス及びアドレス帳連動サービスを提供する。
【００２２】
以下、図２を参照して前記アドレス帳データ連動サービス提供システム５００をより詳しく説明する。
【００２３】
図２は、本発明の一実施例によるテレマティックスと移動端末間のアドレス帳データ連動サービス提供システムの構成を示した図である。
【００２４】
図２を参照すれば、本発明によるアドレス帳データ連動サービス提供システム５００は、加入者データベース５１０、アドレス帳データベース５２０、呼転送サービスモジュール５３０、及びアドレス帳連動モジュール５４０を含む。
【００２５】
前記加入者データベース５１０には、テレマティックス装置１００の加入者情報、前記加入者のテレマティックス装置１００及び移動端末２００に関する端末情報を含むサービス登録情報が保存管理される。ここで、前記サービス登録情報は前記加入者情報を示す加入者フィールド、前記移動端末２００の電話番号及び前記テレマティックス装置１００に付与された電話番号を示す電話番号フィールド、及び呼転送サービスとアドレス帳連動サービス提供可否を示すサービス情報フィールドを含むテーブルからなる。
【００２６】
前記アドレス帳データベース５２０には、多数の加入者が持っている移動端末に保存されたアドレス帳データまたは電話帳データが保存管理される。前記アドレス帳データまたは電話帳データは移動端末から周期的に提供され、前記アドレス帳データベース５２０に更新して保存管理される。
【００２７】
前記呼転送サービスモジュール５３０は、前記加入者データベースと連動して前記テレマティックス装置１００の要請に従って加入者を判別した後、該当加入者の移動端末２００からテレマティックス装置１００にサービス呼が転送されるように処理する。前記呼転送サービスモジュール５３０は呼転送要請受信部５３２、加入者判別部５３４、情報確認部５３６、及び切替処理部５３８などからなる。
【００２８】
前記呼転送要請受信部５３２は、前記テレマティックス装置１００から呼転送サービス要請情報を受信する。このとき、前記呼転送サービス要請情報には加入者識別情報と加入者認証情報が含まれ得る。すなわち、呼転送サービスを要請した加入者を識別するためのＩＤのような識別情報を受信し、該当識別情報に従って加入者を認証するためのパスワードのような認証情報を受信する。
【００２９】
前記加入者判別部５３４は、前記呼転送要請受信部５３２を通じて受信した呼転送サービス要請情報に基づいて呼転送サービスを提供するための加入者判別を行う。前記加入者判別部５３４では、前記呼転送サービス要請情報に含まれた加入者識別情報に基づいて前記加入者データベース５１０を照会し、その結果をもってサービスを要請した加入者を区別する。また、前記呼転送サービス要請情報に含まれた加入者認証情報に基づいて前記加入者データベース５１０を照会し、区別された該当加入者を認証する。
【００３０】
前記情報確認部５３６は、前記加入者判別部５３４で判別された加入者のテレマティックス装置及び移動端末の情報を確認する。前記情報確認部５３６では判別された加入者のテレマティックス装置及び移動端末の情報を確認するため、前記加入者データベース５１０のサービス登録情報を検索する。前記サービス登録情報の電話番号フィールドとサービス情報フィールドから該当加入者のテレマティックス装置及び移動端末の情報を確認する。
【００３１】
前記切替処理部５３８は、前記情報確認部５３６で確認された該当加入者の移動端末とテレマティックス装置間の呼転送処理を行う。前記切替処理部５３８は該当加入者の移動端末２００と前記移動通信網３００間に設定されたサービス連結を前記テレマティックス装置１００に切り替えるように前記移動通信網３００に要請する。これにより、前記移動通信網３００で該当移動端末２００のサービス呼を該当テレマティックス装置１００に転送する処理が行われる。
【００３２】
前記アドレス帳連動モジュール５４０は、前記呼転送サービスモジュール５３０で確認された前記移動端末２００に対して前記アドレス帳データベース５２０から前記移動端末２００に対応するアドレス帳データを検索抽出し、それを前記テレマティックス装置１００に伝送する役割を果たす。前記アドレス帳連動モジュール５４０はアドレス帳データ伝送部５４２、更新部５４４、連動制御部５４６などを含む。
【００３３】
前記更新部５４４は、加入者の移動端末２００に保存されたアドレス帳情報や電話帳情報を周期的に受信し、前記アドレス帳データベース５２０に更新保存する。アドレス帳の受信は周期的に行うこともでき、移動端末にアドレス帳や電話帳が更新される毎に受信することもできる。このように移動端末に保存されたアドレス帳データは前記アドレス帳データベースに更新されて同期化される。
【００３４】
前記連動制御部５４６は同一人チェック部５４７及び連動要請受信部５４８を含む。前記同一人チェック部５４７は、前記呼転送サービスモジュール５３０で前記移動端末２００の加入者が確認されれば、該加入者が以前にテレマティックス装置１００を使用した加入者と同一加入者であるか否かを判断し、同一加入者である場合はアドレス帳データを伝送せず、同一加入者ではない場合はアドレス帳を伝送させる。
【００３５】
前記連動要請受信部５４８は、前記テレマティックス装置１００からアドレス帳データ伝送要請が受信されれば、アドレス帳データを伝送させる。すなわち、ユーザが前記テレマティックス装置１００からアドレス帳データの伝送を要請すれば、その信号に従って該当加入者のアドレス帳データを伝送させる。
【００３６】
前記アドレス帳データ伝送部５４２は、前記連動制御部５４６で該当加入者に対するアドレス帳データの伝送が決まれば、前記アドレス帳データベース５２０から該当加入者のアドレス帳データを検索抽出して前記テレマティックス装置１００に伝送処理する。
【００３７】
図３は、本発明の一実施例によるテレマティックス装置の構成を示した図である。
【００３８】
図３を参照すれば、本発明によるテレマティックス装置１００は、保存部１１０、呼転送制御部１２０、アドレス帳制御部１３０、通信部１４０、及びテレマティックス処理部１５０を含む。
【００３９】
前記保存部１１０には、テレマティックス装置加入者が加入した移動端末２００と移動通信網３００間に設定されたサービス連結を前記テレマティックス装置１００に切り替えるトリガーの設定情報と、最近前記テレマティックス装置を使用した加入者のアドレス帳データが保存される。前記トリガーの設定情報は前記保存部１１０のトリガーフィールド１１２に保存され、前記アドレス帳データは前記保存部１１０のアドレス帳フィールド１１４に保存される。前記トリガーフィールド１１２に保存されるトリガーの設定情報は車輌の始動電源が活性化されたとき前記トリガーを活性化する情報、ユーザの要求動作によってトリガーを活性化する情報、及び移動端末２００が車輌内にある場合トリガーを活性化する設定情報を含み得る。
【００４０】
前記呼転送制御部１２０は、前記テレマティックス装置１００の呼転送サービス具現のための一連の動作を制御する手段である。すなわち、前記保存部１１０のトリガーフィールドに保存された設定情報に従ってトリガーを実行し、前記移動端末２００のサービス連結切替を要請するサービス要請情報を前記移動通信網と連動する呼転送サービス提供システムに伝送する。また、呼転送サービス提供システムの応答に応じて前記移動端末２００のサービス連結切替を行う。
【００４１】
前記アドレス帳制御部１３０は、前記トリガーの実行によって加入者識別情報と認証情報を前記アドレス帳データ連動サービス提供システム５００に提供し、それによって加入者確認後に提供される該当加入者のアドレス帳データを前記保存部１１０のアドレス帳フィールド１１４に更新して保存する。また、前記アドレス帳制御部１３０は、前記テレマティックス装置１００のユーザ操作によって最新アドレス帳の提供を受けるため、前記アドレス帳連動サーバー５００にアドレス帳更新要請情報を伝送するアドレス帳更新要請部１３２を含む。
【００４２】
前記通信部１４０は移動通信網３００と接続される。すなわち、接続された移動通信網３００を通じてアドレス帳データ連動サービス提供システム５００と連動して呼転送要請及びアドレス帳データ送受信に係る作業を行い、前記移動通信網３００が提供するサービス機能に係るデータの処理を行う。
【００４３】
前記テレマティックス処理部１５０は、前記移動通信網３００を通じて前記テレマティックスサービス提供システム４００から提供されるテレマティックスサービスをユーザに提供し、それによるテレマティックス機能を処理する。
【００４４】
以下、図面を参照に本発明の一実施例によるテレマティックスと移動端末間のアドレス帳データ連動サービスの提供方法を説明する。
【００４５】
図４は、本発明の一実施例によるテレマティックスと移動端末間のアドレス帳データ連動サービスの提供方法を示したフロー図である。
【００４６】
図４を参照すれば、まず、アドレス帳データ連動サービス提供システムは車輌に搭載されるテレマティックス装置から呼転送サービス要請情報を受信する。これは移動端末を持っている加入者が車輌に乗るかまたはテレマティックス装置に呼転送しようと試みる場合である（Ｓ１０）。
【００４７】
呼転送サービス要請情報を受信すれば、該当情報を分析して加入者データベースを検索し、該当呼転送サービスを要請した加入者を識別する（Ｓ２０）。
【００４８】
加入者が識別されれば、加入者データベースに保存された加入者認証情報を用いて該当加入者を認証する。このために前記呼転送サービス要請情報には認証情報が含まれており、例えば加入者識別情報であるＩＤとともに含まれたパスワードを認証情報にして認証する（Ｓ３０）。
【００４９】
このように加入者が識別されて認証されれば、該当加入者のサービス登録情報を検索する。前記加入者サービス登録情報は加入者データベースに保存されている（Ｓ４０）。
【００５０】
加入者サービス登録情報を検索した後、加入者のテレマティックス装置及び移動端末情報を確認する（Ｓ５０）。
【００５１】
該当加入者のテレマティックス装置及び移動端末が確認されれば、該当加入者が前記テレマティックス装置の以前ユーザと同一加入者であるか否かを判断する。これは最近乗車してテレマティックス装置に呼転送してテレマティックスを使用した加入者の情報と、上記の段階Ｓ２０〜３０を通じて識別及び認証された加入者の情報とを比べることで判別することができる（Ｓ６０）。
【００５２】
同一加入者ではないと判別されれば、アドレス帳連動サーバーのアドレス帳データベースに保存中の前記加入者の移動端末に対応するアドレス帳データを抽出する（Ｓ７０）。
【００５３】
アドレス帳データを抽出すれば、呼転送を要請した該当加入者のテレマティックス装置に抽出されたアドレス帳データを移動通信網を経由して伝送する（Ｓ８０）。
【００５４】
テレマティックス装置にアドレス帳データを伝送した後、移動通信網に呼転送処理を要請する。移動通信網では該当加入者の移動端末のサービス連結呼を前記テレマティックス装置に転送する処理を行う（Ｓ９０）。
【００５５】
このような段階を経て、移動端末のサービス連結呼がテレマティックス装置に転送されると共に該当加入者の移動端末に保存されたアドレス帳データが前記テレマティックス装置に提供される。したがって、ユーザはテレマティックス装置でも移動端末で使用していたアドレス帳情報を使用することができる。
【００５６】
次に、図５を通じて本発明の一実施例によるテレマティックスと移動端末間のアドレス帳データ連動サービス提供システムの各ノードで行われる手続きを詳しく説明する。
【００５７】
図５は、本発明の一実施例によるテレマティックスと移動端末間のアドレス帳データ連動サービス提供システムの各ノードで行われる手続きを順に示した図である。
【００５８】
図５を参照すれば、まず移動端末ではユーザが任意にアドレス帳の変更、追加、または削除などの操作をする（１）。
【００５９】
移動端末のアドレス帳が変更されたとき、または、所定時間毎に周期的に、移動端末に保存されたアドレス帳データを連動システムに伝送する。これは移動端末と連動システムのアドレス帳データベースとのアドレス帳データを同期化するためである（２）。
【００６０】
連動システムはアドレス帳データを受信すれば、これを収集してアドレス帳データベースに更新して保存するアドレス帳更新処理を行う。上記の段階１〜３の過程が繰り返され、移動端末と連動システムとのアドレス帳データベースのアドレス帳データは同期化される（３）。
【００６１】
次いで、ユーザが車輌に乗るか又はテレマティックス装置を使用しようとすれば、テレマティックス装置の保存部に保存中のトリガーが実行される（４）。
【００６２】
トリガーの実行により、テレマティックス装置では呼転送サービス要請情報を移動通信網を経由して連動システムに伝送する（５）。
【００６３】
連動システムでは要請情報を伝送したテレマティックスの加入者を判別し、該当加入者の移動端末を確認する（６）。
【００６４】
該当加入者の移動端末が確認されれば、アドレス帳データベースを検索して該当加入者の移動端末に対応するアドレス帳データを抽出する。抽出されたアドレス帳データは移動端末に保存されたアドレス帳データと同じデータである（７）。
【００６５】
このように抽出されたアドレス帳データは呼転送を要請したテレマティックス装置に伝送される（８）。
【００６６】
アドレス帳データを受信したテレマティックス装置は、保存部のアドレス帳フィールドにアドレス帳データを更新して保存する（９）。
【００６７】
連動システムでは、テレマティックス装置にアドレス帳を伝送すると共に、該当加入者の移動端末に連結されたサービス呼設定をテレマティックス装置に切り替えるように移動通信網に呼転送を要請する（１０）。
【００６８】
移動通信網では、呼転送要請に応じて該当加入者の呼転送処理要請を受諾し、テレマティックス装置に呼を転送する（１１）。
【００６９】
移動通信網での呼転送処理により、該当加入者の移動端末はサービス呼が中断されてテレマティックス装置に呼が転送され、テレマティックス装置にサービス呼が設定される（１２）。
【００７０】
以下、図６を通じて本発明の他の実施例によるテレマティックスと移動端末間のアドレス帳データ連動サービスの提供方法を詳しく説明する。
【００７１】
図６は、本発明の他の実施例によるテレマティックスと移動端末間のアドレス帳データ連動サービスの提供方法の手続きを順に示した図である。
【００７２】
図６の段階５１ないし５６は、図５を参照して上述した段階１ないし６の内容と同様であるので説明を省く。
【００７３】
次いで、段階５１で該当加入者の移動端末が確認されれば、連動システムでは該当加入者の移動端末に連結されたサービス呼設定をテレマティックス装置に切り替えるように呼転送を移動通信網に要請する（５７）。
【００７４】
移動通信網では呼転送要請に応じて該当加入者の呼転送処理要請を受諾し、テレマティックス装置に呼を転送する（５８）。
【００７５】
移動通信網での呼転送処理により、該当加入者の移動端末はサービス呼が中断されてテレマティックス装置に呼が転送され、テレマティックス装置にサービス呼が設定される（５９）。
【００７６】
テレマティックス装置に呼が転送されれば、連動システムでは該当テレマティックス装置にアドレス帳連動サーバーに接続できる接続権限を与える。このアドレス帳連動サーバーには移動端末のアドレス帳データが保存されており、該当加入者の移動端末に保存されたアドレス帳データも保存されている（６０）。
【００７７】
接続権限が与えられた後、テレマティックス装置で移動端末のアドレス帳情報が必要な場合は、前記連動システムのアドレス帳ＤＢに接続し、該当端末のアドレス帳データをアクセスして所望の情報を得る。このときには該当端末のアドレス帳データをテレマティックス装置にダウンロードせず必要な情報のみをアクセスして利用する（６１）。
【００７８】
以上、本発明を限定された実施例と図面に基づいて説明したが、本発明はこれによって限定されるものではなく、本発明が属する技術分野で通常の知識を持つ者によって本発明の技術思想と特許請求の範囲の均等範囲内で多様な修正及び変形が可能であることは言うまでもない。
【産業上の利用可能性】
【００７９】
本発明によれば、移動端末とテレマティックス装置間の呼転送サービスによって呼が転送される場合、システムで自動的に加入者を判別して該当するアドレス帳情報をテレマティックス装置に提供することで、ユーザの操作がなくてもアドレス帳情報を両機器間に連動して利用することができる。
【符号の説明】
【００８０】
１００    テレマティックス装置
２００    移動端末
３００    移動通信網
４００    テレマティックスサービス提供システム
５００    アドレス帳データ連動サービス提供システム
【図１】
2010527553.tif 000003
【図２】
2010527553.tif 000004
【図３】
2010527553.tif 000005
【図４】
2010527553.tif 000006
【図５】
2010527553.tif 000007
【図６】
2010527553.tif 000008
【国際調査報告】
2010527553.tif 000009
2010527553.tif 000010